(57)【要約】【課題】顧精神安定効果が高く、周囲に音を漏らさず、癒し等の療養効果も高い音響装置とその使用方法を提供する。【解決手段】骨伝導スピーカ１０と、骨伝導スピーカ１０を振動させる駆動装置２０と、駆動装置２０に精神安定効果やヒーリング効果のある特定振動波形を送る信号処理回路２８と、この信号処理回路２８に送る特定振動波形を記録した記憶装置２６を備える。骨伝導スピーカ１０は、乳幼児用枕１６または乳幼児用マット１４内に設けられる。骨伝導スピーカ１０の駆動装置２０は、特定振動波形信号の受信回路１８を備え、信号処理回路２８は、記憶装置２６に記録された特定振動波形の信号を送信回路２２によりワイヤレスで発信する。【選択図】図１
2007288745.tif 000002
【特許請求の範囲】
【請求項１】
骨伝導スピーカと、この骨伝導スピーカを振動させる駆動装置と、この駆動装置に精神安定効果やヒーリング効果のある特定振動波形を送る信号処理回路と、この信号処理回路に送る前記特定振動波形を記録した記憶装置とを備え、前記特定振動波形を前記骨伝導スピーカにより発振することを特徴とする音響装置。
【請求項２】
前記骨伝導スピーカは、乳幼児用枕または乳幼児用マット内に設けられたものである請求項１記載の音響装置。
【請求項３】
前記骨伝導スピーカの駆動装置は、前記特定振動波形信号の受信回路を備え、前記信号処理回路は、前記記憶装置に記録された前記特定振動波形の信号を送信回路によりワイヤレスで発信するものである請求項１記載の音響装置。
【請求項４】
前記特定振動波形は、子宮内血流音、母体の心拍音、イルカの鳴き声、またはイルカの発する可聴域から超音波までの間の音波である請求項１，２または３記載の音響装置。
【請求項５】
骨伝導スピーカと、この骨伝導スピーカを振動させる駆動装置と、この駆動装置に精神安定効果やヒーリング効果のある特定振動波形を送る信号処理回路と、この信号処理回路に送る前記特定振動波形を記録した記憶装置とを設け、前記骨伝導スピーカを枕または寝具の頭部接触位置に設け、前記記憶装置に記録された前記特定振動波形を、人が寝た状態で前記骨伝導スピーカから人の頭部の骨を介して聞かせる音響装置の使用方法。
【請求項６】
前記特定振動波形は、子宮内血流音、母体の心拍音、イルカの鳴き声、またはイルカの発する可聴域から超音波までの間の音波であり、乳幼児の睡眠誘導時に用いる請求項５記載の音響装置の使用方法。
【発明の詳細な説明】
【技術分野】
【０００１】
この発明は、催眠やヒーリングその他療養、睡眠誘導等に用いる骨伝導を利用した音響装置とその使用方法に関する。
【背景技術】
【０００２】
従来、一般に夜泣きする赤ちゃんをあやしたり寝かせ付けたりする方法として、子守歌を歌ったり、安らぎを与えるような音楽を聴かせたりしている。さらに、より積極的に睡眠させる方法として、特許文献１，２に開示されているように、母親の胎内音を録音したものを聞かせる方法も採られている。これは、赤ちゃんが胎児期において、母親の胎内で音や振動を聴いていることを利用したもので、特に、母親が健康で情緒が安定しているときのリズミカルな心臓の鼓動（心拍音）、呼吸などの胎内音や、母親の日常生活における人の話し声などの音が、赤ちゃんにとって安心感をもたらす。上記の中で特に、胎内で聞こえる母親の心臓の鼓動や臍帯を流れる血流音は、胎児が常時体感して聴いているものである。
【特許文献１】特開平９−１９１９８４号公報
【特許文献２】特開２００５−１９６０９２号公報
【発明の開示】
【発明が解決しようとする課題】
【０００３】
上記従来の技術の場合、これらの音は胎内においては、ほとんど振動に近い状態であるが、乳幼児に聴かせる場合は、スピーカをベビーベッドの近くに設置して、その音や振動を発生させていた。
【０００４】
しかしながら、スピーカから空気を介して伝達される音や振動は限られており、胎内にいるときのような十分な振動を体感できるものではなかった。従って、単に胎内の音を聞かせるだけでは、赤ちゃんの睡眠誘導効果が限られていた。しかも、周囲に音が響くため、回りに他の赤ちゃんやその他の人がいる場合、その他病院では使用できないものであった。
【０００５】
この発明は、上記従来の技術の問題点に鑑みてなされたもので、精神安定効果が高く、周囲に音を漏らさず、癒し等の療養効果も高い音響装置とその使用方法を提供することを目的とする。
【課題を解決するための手段】
【０００６】
この発明は、骨伝導スピーカと、この骨伝導スピーカを振動させる駆動装置と、この駆動装置に精神安定効果やヒーリング効果のある特定振動波形を送る信号処理回路と、この信号処理回路に送る前記特定振動波形を記録した記憶装置とを備え、前記特定振動波形を前記骨伝導スピーカにより発振する音響装置である。前記骨伝導スピーカは、乳幼児用枕または乳幼児用マット内に設けられたものである。
【０００７】
さらに、前記骨伝導スピーカの駆動装置は、前記特定振動波形信号の受信回路を備え、前記信号処理回路は、前記記憶装置に記録された前記特定振動波形の信号を送信回路によりワイヤレスで発信するものである。
【０００８】
前記特定振動波形は、子宮内血流音、母体の心拍音、イルカの鳴き声、またはイルカの発する可聴域から超音波までの間の音波等である。
【０００９】
またこの発明は、骨伝導スピーカと、この骨伝導スピーカを振動させる駆動装置と、この駆動装置に精神安定効果やヒーリング効果のある特定振動波形を送る信号処理回路と、この信号処理回路に送る前記特定振動波形を記録した記憶装置とを設け、前記骨伝導スピーカを枕または寝具の頭部接触位置に設け、前記記憶装置に記録された前記特定振動波形を、人が寝た状態で前記骨伝導スピーカから人の頭部の骨を介して聞かせる音響装置の使用方法である。
【００１０】
前記特定振動波形は、子宮内血流音、母体の心拍音、イルカの鳴き声、またはイルカの発する可聴域から超音波までの間の音波であり、乳幼児の睡眠誘導時に用いる。
【発明の効果】
【００１１】
この発明の音響装置とその使用方法によれば、赤ちゃんが子宮内で慣れ親しんでいた胎内音を骨伝導により容易に体感させることができ、より確実に赤ちゃんの心理状態が安定し、睡眠状態に入りやすい。また、周囲には音が漏れないので、その赤ちゃんのみに作用させることができる。
【００１２】
また、イルカの鳴き声を用いる場合は、赤ちゃんから大人まで精神的な療養や睡眠誘導、その他療法等に利用することができ、周囲に音が漏れることなく、ヒーリング効果を個別的に体感することができる。また、コストも掛からず、小形であり、任意の箇所で使用することができる。
【発明を実施するための最良の形態】
【００１３】
以下、この発明の実施の形態について図１〜図３を基にして説明する。図１はこの発明の一実施形態を示すもので、この実施形態の音響装置は、出力装置として骨伝導スピーカ１０を備え、この骨伝導スピーカ１０の駆動回路１２が、ベビーベッドのマット１４上の枕１６に備えられている。骨伝導スピーカ１０は、人の頭蓋骨等を介して可聴域の音声等の振動を伝えるもので、鼓膜を通さずに音を内耳の蝸牛の聴覚神経に伝達するものである。骨伝導スピーカ１０は、骨に振動を伝える振動板とボイスコイル等を備えたスピーカである。
【００１４】
骨伝導スピーカ１０により発せられる特定振動波形の信号は、送信回路２２を備えた装置本体２４から送信される。装置本体２４には、送信する特定振動波形の信号を記憶した記憶装置２６が設けられ、記憶装置２６から特定振動波形の信号が信号処理回路２８に送られ、信号処理回路２８を介して、送信回路２２から所定の特定振動波形を処理したデジタル信号が発信される。
【００１５】
信号処理回路２８には、おなかに密着させて録音する胎内音録音用のマイク３０が接続可能に設けられ、その赤ちゃんの胎児期の、特に妊娠終期の胎内音である特定振動波形信号を記憶装置２６に記録しておく。なお、特定振動波形信号は、その赤ちゃんの母親以外の胎内音でもよいが、自身の母親の胎内音が好ましい。
【００１６】
骨伝導スピーカ１０は、ベビーベッドのマット１４上の枕１６内に設けられ、駆動回路１２と受信回路１８を備えた駆動装置２０が枕１６内に一体に設けられている。また、骨伝導スピーカ１０は、赤ちゃん４０が寝返りしても骨伝導スピーカ１０が赤ちゃん４０の頭部に接するように、複数設けられていると良い。骨伝導スピーカ１０は、枕１６内の他、マット１４の側縁部近傍に設けられていても良い。さらに、装置本体２４と駆動回路１２は有線接続されていても良いが、配線が赤ちゃん４０に絡む恐れがあるので、ワイヤレスの音響装置が好ましい。
【００１７】
記憶装置２６は、公知のデジタルレコーダを利用すると良く、ＭＰ３形式にして、パーソナルコンピュータに記憶しておいても良く、記憶装置２６としてＣＤやＭＤ等の記憶媒体を利用し、装置本体２４は、ＣＤまたはＭＤプレーヤー等でも良い。また、記憶装置２６として、ＳＤカード等の半導体メモリを利用しても良い。信号処理回路２８から受信回路１８までの信号は、デジタル化されており、駆動回路１２内にＤ／Ａ変換回路を備えていればよい。
【００１８】
送信回路２２と受信回路１８は、無線電波を利用するものや赤外線を利用するもの等、適宜選択可能である。また、装置本体２４には、公知の充電池やその他制御回路等を備え、任意の特定振動波形信号を骨伝導スピーカ１０に送信することができる。
【００１９】
次に、この音響装置の使用方法について説明する。まず、この音響装置を乳幼児の睡眠誘導時に利用する場合について説明する。赤ちゃん４０をマット１４に寝かせて、頭を枕１６の骨伝導スピーカ１６に接するようにする。そして、受信回路１８を受信状態にする。この状態で装置本体２４から、例えば胎内の血流音である特定振動波形のデータを記憶装置２６から呼び出して、信号処理回路２８により送信回路２２を介して発信する。発信するデータはデジタル化されたもので、デジタル信号に所定の処理が施されて発信される。受信回路１８では、受信した信号を駆動回路１２送り、駆動回路１２ではＤ／Ａ変換等の処理を施し、さらに所定の出力に増幅し、骨伝導スピーカ１０を駆動する。
【００２０】
これにより、赤ちゃん４０は、母体の胎内にいるときのことを思い出し、安心して速やかに寝入る。睡眠後は、骨伝導スピーカ１０は切っても良いが、つけたままでも問題はない。
【００２１】
この実施形態の音響装置は、骨伝導により胎内音を伝えるばかりでなく、例えば、癒し効果の高いイルカの鳴き声を伝えるものでも良い。近年イルカの鳴き声に治療効果があるのではないかと言われ、盛んに研究されており、これをイルカセラピーとかドルフィンセラピーと言い、動物セラピーの一種として利用されている。
【００２２】
イルカの鳴き声による作用として、これを聴きながらリハビリを行うことにより通常より早く機能が回復するという実験結果があり、リハビリ後の血液中のカテコールアミンやベータエンドルフィンが増加しているという結果が得られている。また、イルカと遊ぶと、人間の脳に通常覚醒時には出ないシータ波が多く出るという実験結果もある。これは、イルカの出す声の中に、人間の可聴域以上の高音である超音波が含まれているからではないかと言われている。
【００２３】
このような様々な作用のあるイルカの鳴き声を、効果的に且つ周囲に迷惑を掛けないように聞く方法として、骨伝導を利用すると良い。イルカの鳴き声は、癒し効果が高く、胎内音と同じように、赤ちゃんに対する睡眠誘導効果があるとともに、大人の精神安定化作用もある。
【００２４】
従って、就寝時やリラックス時にイルカの鳴き声を骨伝導により聴くことにより、周囲に影響を与えることなく、短時間で眠りにつき、精神的な安定や、癒しの効果が得られる。
【００２５】
大人が用いる場合は、骨伝導スピーカ１０は、既存のヘッドフォンタイプの骨伝導スピーカを用いると良い。
【００２６】
この実施形態の音響装置とその使用方法によれば、赤ちゃんを寝かしつけるときなどに、子宮内で慣れ親しんでいた胎内音を骨伝導により容易に体感させることができる。これにより、赤ちゃんの心理状態が迅速に安定し、睡眠状態に入りやすい。しかも、周囲には音が漏れないので、その赤ちゃんのみに作用させることができ、例えば病院や兄弟がいる部屋など、複数の人がいる部屋で使用する場合に好都合である。特に、自分の母親の胎内音を録音したものを聴かせるようにすることにより、より確実に安心感を与えることができ、スムーズな睡眠誘導が可能となる。
【００２７】
また、イルカの鳴き声を用いる場合は、赤ちゃんから大人まで精神的な療養や睡眠誘導、その他の療法等に利用することができ、場所を選ばず周囲に音が漏れることなく、ヒーリング効果を得ることができる。
【図面の簡単な説明】
【００２８】
【図１】この発明の一実施形態の音響装置の概略ブロック図である。
【図２】この実施形態の音響装置の使用状態を示す斜視図である。
【図３】この実施形態の音響装置に使用する枕を示す平面図である。
【符号の説明】
【００２９】
１０  骨伝導スピーカ
１２  駆動回路
１４  マット
１６  枕
１８  受信回路
２０  駆動装置
２２  送信回路
２４  装置本体
２６  記憶装置
２８  信号処理回路
３０  マイク
【図１】
2007288745.tif 000003
【図２】
2007288745.tif 000004
【図３】
2007288745.tif 000005